(57)【要約】【課題】放送受信装置で受信したコンテンツを外部再生装置にコピー可能として映像記録再生システムで、レジューム再生できないことを知らせるようにする。【解決手段】放送受信装置１００は受信したコンテンツを放送コンテンツ蓄積部１０３に蓄積し、コピーをするときには、コンテンツデータを外部再生装置２００に転送し、外部コンテンツ蓄積部２０２に記録する。外部再生装置２００は放送受信装置１００にレジューム情報を送信し、放送受信装置１００はこのレジューム情報を受信し、受信したレジューム情報を放送コンテンツ管理部１０７に送る。放送コンテンツ管理部１０７は、受信したレジューム情報により、返却情報を設定する。放送受信装置１００で、コンテンツをレジューム再生する際に、外部再生装置２００からのレジューム情報が返却されていないと判定された場合に、警告表示を行う。【選択図】  図４
2010148050.tif 000002
【特許請求の範囲】
【請求項１】
コンテンツを蓄積するコンテンツ蓄積手段と、
前記コンテンツ蓄積手段によって蓄積されたコンテンツを外部再生装置に出力するコンテンツ出力制御手段と、
前記外部再生装置において前記コンテンツの再生が中断された位置を示すレジューム情報を取得するコンテンツ情報受信制御手段と、
前記コンテンツ情報受信制御手段が前記外部再生装置から前記レジューム情報を取得した場合、前記レジューム情報に基づいて、前記外部再生装置において前記コンテンツの再生が中断された位置からの再生の開始を可能とするコンテンツ再生制御手段と、
前記コンテンツ情報受信制御手段が前記外部再生装置から前記レジューム情報を取得していない場合、警告表示を行う通知制御手段と
を備えることを特徴とするコンテンツ管理装置。
【請求項２】
前記コンテンツ情報受信制御手段が前記外部再生装置から前記レジューム情報を取得した場合、前記外部再生装置において前記コンテンツの再生が中断された位置、前記コンテンツの最初の位置、又は前記コンテンツ管理装置において前記コンテンツの再生が中断された位置のいずれかから、再生の開始位置を選択可能にしたことを特徴とする請求項１記載のコンテンツ管理装置。
【請求項３】
前記コンテンツ情報受信制御手段が前記外部再生装置から前記レジューム情報を取得していない場合、前記レジューム情報を取得した後の再生の予約を可能としたことを特徴とする請求項１記載のコンテンツ管理装置。
【請求項４】
前記コンテンツ情報受信制御手段が前記外部再生装置から前記レジューム情報を取得していない場合、前記レジューム情報を取得した後の再生が予約された後、取得期限が経過した場合は、前記通知制御手段が警告表示を行うことを特徴とする請求項３記載のコンテンツ管理装置。
【請求項５】
前記コンテンツ情報受信制御手段が前記外部再生装置から前記レジューム情報を前記取得期限より前に取得しなかった場合、前記取得期限を継続することを選択可能としたことを特徴とする請求項４記載のコンテンツ管理装置。
【請求項６】
放送受信装置からコンテンツを取得するコンテンツ取得制御手段と、
前記コンテンツ取得制御手段により取得された前記コンテンツを蓄積する外部コンテンツ蓄積手段と、
前記外部コンテンツ蓄積手段に蓄積された前記コンテンツの再生を制御するとともに、前記コンテンツの再生を中断した位置をレジューム情報として出力する外部コンテンツ再生制御手段と、
レジューム情報を前記放送受信装置に送信するコンテンツ管理情報送信制御手段と、
前記コンテンツの削除要求があった場合でも、前記レジューム情報が前記放送受信装置に送信されていない場合、前記レジューム情報を削除しない削除制御手段と
を備えることを特徴とするコンテンツ再生装置。
【請求項７】
前記削除制御手段は、前記レジューム情報の保持期限が過ぎたと判定した場合には、前記レジューム情報を削除することを特徴とする請求項６記載のコンテンツ再生装置。
【請求項８】
コンテンツを蓄積するコンテンツ蓄積工程と、
前記コンテンツ蓄積工程によって蓄積されたコンテンツを前記外部再生装置に出力するコンテンツ出力制御工程と、
前記外部再生装置において前記コンテンツの再生が中断された位置を示すレジューム情報を取得するコンテンツ情報受信制御工程と、
前記コンテンツ情報受信制御工程で前記外部再生装置から前記レジューム情報を取得した場合、前記レジューム情報に基づいて、前記外部再生装置において前記コンテンツの再生が中断された位置からの再生の開始を可能とするコンテンツ再生制御工程と、
前記コンテンツ情報受信制御工程が前記外部再生装置から前記レジューム情報を取得していない場合、警告表示を行う通知制御工程と
を備えることを特徴とするコンテンツ管理装置の制御方法。
【請求項９】
放送受信装置からコンテンツを取得するコンテンツ取得制御工程と、
前記コンテンツ取得制御工程により取得された前記コンテンツを蓄積する外部コンテンツ蓄積工程と、
前記外部コンテンツ蓄積工程に蓄積された前記コンテンツの再生を制御するとともに、前記コンテンツの再生を中断した位置をレジューム情報として出力する外部コンテンツ再生制御工程と、
レジューム情報を前記放送受信装置に送信するコンテンツ管理情報送信制御工程と、
前記コンテンツの削除要求があった場合でも、前記レジューム情報が前記放送受信装置に送信されていない場合、前記レジューム情報を削除しない削除制御工程と
を備えることを特徴とするコンテンツ再生装置の制御方法。
【発明の詳細な説明】
【技術分野】
【０００１】
本発明は、コンテンツを外部再生装置にコピーすることが可能であるとともにコンテンツの再生も可能なコンテンツ管理装置及びコンテンツ管理装置の制御方法に関する。また本発明は、コンテンツ管理装置から受信したコンテンツの再生が可能なコンテンツ再生装置及びコンテンツ再生装置の制御方法に関する。
【背景技術】
【０００２】
従来、映像コンテンツをコピーする場合には、コピーワンスと呼ばれる運用規定により、ユーザは１回のみコンテンツをムーブをすることができる。ユーザが放送受信装置から外部再生装置にムーブを行うと、放送受信装置から外部再生装置にコンテンツが移動し、放送受信装置のコンテンツは削除される。また、ユーザがコンテンツを外部再生装置から放送受信装置に戻すと、外部再生装置から放送受信装置にコンテンツが移動し、外部再生装置のコンテンツは削除される。
【０００３】
しかしながら、上述のようにムーブを行うと、ユーザが外部再生装置にコンテンツを移動して持ち歩いた際に、コンテンツデータが壊れてしまうと、コンテンツが復活できなくなる可能性がある。また、コピー元とコピー先とで記録方式が異なるような場合には、ユーザがコピー先からコピー元にコンテンツをムーブし、そのコンテンツをコピー元に返却すると、画質が劣化する場合がある。
【０００４】
そこで、コピーワンスのように外部再生装置への１回のみムーブ可能なコンテンツでも、コピー元の機器で再生不能にすることで、コピー元の機器のコンテンツを残しつつ、外部再生機器にコピー可能な製品が市販されている。このような装置では、ユーザがコンテンツを放送受信装置から外部再生装置にムーブする場合、放送受信装置から外部再生装置にコンテンツをコピーし、放送受信装置のコンテンツが再生不能とされる。また、ユーザがコンテンツを戻すときには、外部再生装置のコンテンツが削除され、放送受信装置のコンテンツが再生可能とされる。このようにすると、放送受信装置のコンテンツは常に残るため、ユーザは外部再生装置にコンテンツを移動して安心して持ち歩くことができる。また、コピー元とコピー先とで記録方式が異なるような場合でも、画質の劣化が生じない。
【０００５】
また、ダビング１０の運用開始により、１つの放送コンテンツに対して、外部メディアへのコピーが９回、ムーブが１回可能になる。この場合、複数の外部再生機器に同一のコンテンツがコピーされるようなことがあり得る。ダビング１０の運用が開始されると、コンテンツをコピーした複数の外部再生機器からレジューム情報を取得し、取得したレジューム情報に基づいてレジューム再生を行うことが可能になる。レジューム機能は、再生中のコンテンツを途中で停止させ、次に再生を開始させると、停止させた位置から再生を開始させる機能である。レジューム機能によれば、コンテンツの停止位置が保存され、外部再生装置から放送受信装置にレジューム情報を転送すれば、外部再生装置のコンテンツを放送受信装置で再生するときにも、レジューム機能を利用できる。
【０００６】
例えば、図３０に示すように、放送受信装置１１００で受信したコンテンツを３台の外部再生装置１２００ａ、１２００ｂ、１２００ｃにコピーしたとする。この場合、３台の外部再生装置１２００ａ、１２００ｂ、１２００ｃにコピーしているので、ダビング１０では、コピー回数は「３」となる。
【０００７】
ユーザは、各外部再生装置１２００ａ〜１２００ｃでコンテンツを再生し、途中で、再生を停止したとする。そして、図３１（Ａ）に示すように、外部再生装置１２００ａについては、放送受信装置１１００と外部再生装置１２００ａとを接続し、外部再生装置１２００ａから放送受信装置１１００にコンテンツを返却すると共にレジューム情報を転送したとする。また、図３１（Ｂ）に示すように、外部再生装置１２００ｂについては、放送受信装置１１００と外部再生装置１２００ｂとを接続し、外部再生装置１２００ｂから放送受信装置１１００にコンテンツの返却だけ行ったとする。また、図３１（Ｃ）に示すように、外部再生装置１２００ｃについては、放送受信装置１１００との接続を行わないとする。
【０００８】
この場合、外部再生装置１２００ａについては、放送受信装置１００に接続して、放送受信装置１１００にレジューム情報を転送しているので、放送受信装置１１００でコンテンツを再生する際に、レジューム再生が可能である。外部再生装置１２００ｂについては、放送受信装置１００に接続しているが、レジューム情報を転送していないので、放送受信装置１１００でコンテンツを再生する際に、レジューム再生はできない。外部再生装置１２００ｃについては、放送受信装置１００に接続していないので、放送受信装置１１００でコンテンツを再生する際に、レジューム再生はできない。
【０００９】
また、上述のように、コンテンツを返却すると、その分だけ、コピー回数が戻される。この場合、外部再生装置１２００ａ及び１２００ｂでコンテンツを返却しているので、コピー回数は、外部再生装置１２００ｃへのコピー回数に相当する「１」となる。特許文献１及び特許文献２はこのようなレジューム再生をする技術を開示している。
【００１０】
特許文献１は、移動体装置が同一のコンテンツを録画していた場合、該移動体装置において生成されたこのコンテンツのレジューム情報に基づいてこのコンテンツを再生する番組再生装置を開示している。特許文献２は、コピー操作により外部メディアと同一のコンテンツを有するとき、このコンテンツに対して外部メディアのレジューム情報との同期を行う再生装置を開示している。特許文献２は、外部メディアが複数存在する場合、外部メディア毎のレジューム情報を管理する再生装置を開示している。
【特許文献１】特開２００８−１３１４０１号公報
【特許文献２】特表２００６−５２７４５５号公報
【発明の開示】
【発明が解決しようとする課題】
【００１１】
しかしながら、ダビング１０の運用が開始されると、複数の外部再生装置に同一のコンテンツをコピーできるようになるため、ユーザは、どの外部再生装置からのレジューム情報が放送受信装置に転送されているのかが把握できない。例えば、図３１に示したように、放送受信装置１００との接続を行ったとしても、レジューム情報が転送されている場合（図３１（Ａ））と、レジューム情報が転送されていない場合（図３１（Ｂ））とが想定される。放送受信装置１００との接続を行っても、レジューム情報が転送されていなければ、ユーザはレジューム再生を利用できない。
【００１２】
特許文献１に記載した番組再生装置では、移動体装置のレジューム情報が取得して、取得したレジューム情報に基づいてコンテンツを再生するが、レジューム情報が取得されなかったことをユーザは知ることはできない。特許文献２に記載した再生装置では、外部メディアのレジューム情報が取得できなかった場合に、外部メディアのレジューム情報を用いたレジューム再生ができないことをユーザは知ることができない。その結果、外部の再生装置で再生されたコンテンツの続きを自宅の再生装置で視聴できない場合に、その旨をユーザは知ることができないという問題があった。
【００１３】
本発明は、この従来技術に鑑みなされたものであり、外部再生装置のレジューム情報が取得されていない場合に、ユーザが期待する再生位置から再生できないことを知らせることができるコンテンツ管理装置及びその制御方法を提供することを目的とする。
また、本発明は、コンテンツを外部再生装置側で削除したことに起因して、コンテンツ管理装置側にレジューム情報が伝達できなくなることを抑制するコンテンツ再生装置及びその制御方法を提供することを目的とする。
【課題を解決するための手段】
【００１４】
上述の課題を解決するため、本発明のコンテンツ管理装置は、コンテンツを蓄積するコンテンツ蓄積手段と、コンテンツ蓄積手段によって蓄積されたコンテンツを外部再生装置に出力するコンテンツ出力制御手段と、外部再生装置においてコンテンツの再生が中断された位置を示すレジューム情報を取得するコンテンツ情報受信制御手段と、コンテンツ情報受信制御手段が外部再生装置からレジューム情報を取得した場合、レジューム情報に基づいて、外部再生装置においてコンテンツの再生が中断された位置からの再生の開始を可能とするコンテンツ再生制御手段と、コンテンツ情報受信制御手段が外部再生装置からレジューム情報を取得していない場合、警告表示を行う通知制御手段とを備えることを特徴とする。
【００１５】
また、本発明に係るコンテンツ再生装置は、放送受信装置からコンテンツを取得するコンテンツ取得制御手段と、コンテンツ取得制御手段により取得されたコンテンツを蓄積する外部コンテンツ蓄積手段と、外部コンテンツ蓄積手段に蓄積されたコンテンツの再生を制御するとともに、コンテンツの再生を中断した位置をレジューム情報として出力する外部コンテンツ再生制御手段と、レジューム情報を放送受信装置に送信するコンテンツ管理情報送信制御手段と、コンテンツの削除要求があった場合でも、レジューム情報が放送受信装置に送信されていない場合、レジューム情報を削除しない削除制御手段とを備えることを特徴とする。
【００１６】
また、本発明に係るコンテンツ管理装置の制御方法は、コンテンツを蓄積するコンテンツ蓄積工程と、前記コンテンツ蓄積工程によって蓄積されたコンテンツを前記外部再生装置に出力するコンテンツ出力制御工程と、前記外部再生装置において前記コンテンツの再生が中断された位置を示すレジューム情報を取得するコンテンツ情報受信制御工程と、前記コンテンツ情報受信制御工程で前記外部再生装置から前記レジューム情報を取得した場合、前記レジューム情報に基づいて、前記外部再生装置において前記コンテンツの再生が中断された位置からの再生を開始可能とするコンテンツ再生制御工程と、前記コンテンツ情報受信制御工程が前記外部再生装置から前記レジューム情報を取得していない場合、警告表示を行う通知制御工程とを備えることを特徴とする。
【００１７】
また、本発明に係るコンテンツ再生装置の制御方法は、放送受信装置からコンテンツを取得するコンテンツ取得制御工程と、コンテンツ取得制御工程により取得されたコンテンツを蓄積する外部コンテンツ蓄積工程と、外部コンテンツ蓄積工程に蓄積されたコンテンツの再生を制御するとともに、コンテンツの再生を中断した位置をレジューム情報として出力する外部コンテンツ再生制御工程と、レジューム情報を放送受信装置に送信するコンテンツ管理情報送信制御工程と、コンテンツの削除要求があった場合でも、レジューム情報が放送受信装置に送信されていない場合、レジューム情報を削除しない削除制御工程とを備えることを特徴とする。
【発明の効果】
【００１８】
本発明によれば、コンテンツ管理装置は、外部再生装置からレジューム情報が転送されない場合には、通知制御手段が警告表示を行って、ユーザに、レジューム再生を行えないことを通知する。これにより、コンテンツ管理装置から外部再生装置にコピーされたコンテンツについて、外部再生装置で再生したコンテンツのレジューム再生がコンテンツ管理装置側でできないことをユーザは知ることができる。すなわち、本発明のコンテンツ管理装置は、ユーザが誤って意図しない再生位置から再生する前に注意喚起を促すことが可能となる。
また、コンテンツ管理装置で管理されているコンテンツを再生可能なコンテンツ再生装置において、コンテンツ再生装置側でコンテンツを削除する操作が発生することがある。本発明によれば、レジューム情報をコンテンツ管理装置側に送信したか否かに応じて警告表示の有無をコントロールすることにより、誤ってコンテンツのレジューム情報をコンテンツ管理装置側に送信する前にコンテンツを削除してしまうことを抑制することができる。
【発明を実施するための最良の形態】
【００１９】
以下、本発明の実施の形態について図面を参照しながら説明する。
＜第１の実施形態＞
図１は、本発明の第１の実施形態の映像記録再生システム構成を示す。図１に示すように、第１の実施形態の映像記録再生システムは、コンテンツ管理装置である放送受信装置１００と、コンテンツ再生装置である外部再生装置２００とから構成される。
【００２０】
放送受信装置１００は、テレビジョン放送を受信し、テレビジョン放送の受信画面をモニタに表示する。また、放送受信装置１００は、その内部に蓄積部を有しており、受信したテレビジョン放送のコンテンツをその内部の蓄積部に保存することができる。外部再生装置２００は、携帯メディアプレーヤ、携帯ゲーム機、多機能携帯電話機等、画像の記録再生機能を有する携帯型の装置である。なお、外部再生装置２００としては、ＨＤＤ（Ｈａｒｄ  Ｄｉｓｋ  Ｄｒｉｖｅ）記録再生装置、光ディスク記録再生装置、フラッシュメモリを用いた画像記録再生装置を用いることもできる。
【００２１】
本発明の第１の実施形態の映像記録再生システムでは、放送受信装置１００は、例えば、自宅に設置される。外部再生装置２００は、例えば、戸外に携帯して使用される。ユーザは、放送受信装置１００の蓄積部に保存されているコンテンツデータを、外部再生装置２００にコピーすることができる。放送受信装置１００の蓄積部に保存されているコンテンツデータを外部再生装置２００にコピーするときには、図１に示すように、ユーザは放送受信装置１００と外部再生装置２００とを接続する。コンテンツデータは放送受信装置１００から外部再生装置２００に転送される。なお、放送受信装置１００と外部再生装置２００との接続は、有線であっても、無線であっても良い。これにより、ユーザは、外部再生装置２００を戸外に携帯して、いつでも、どこでも、画像の再生を楽しむことができる。
【００２２】
放送受信装置１００から外部再生装置２００にコピーできるコンテンツの回数は、ダビング１０と呼ばれる運用ルールにより、コピーが９回、ムーブが１回に制限されている。１０回目のコピーを行うと、ムーブとなる。コピーの場合には、放送受信装置１００から外部再生装置２００にコンテンツデータを転送しても、放送受信装置１００のコンテンツは再生可能である。ムーブの場合には、放送受信装置１００から外部再生装置２００にコンテンツデータを転送すると、放送受信装置１００のコンテンツは再生不能になる。
【００２３】
また、本発明の第１の実施形態の映像記録再生システムは、レジューム機能を有している。このレジューム機能により、ユーザは以前に再生を中断した位置から再生を開始させることができる。このようなレジューム機能は、放送受信装置１００及び外部再生装置２００の双方で可能である。さらに、外部再生装置２００から放送受信装置１００にレジューム情報を転送すれば、外部再生装置２００のコンテンツを放送受信装置１００で再生するときにも、レジューム機能を利用できる。例えば、ユーザが外部再生装置２００を戸外に携帯して、コンテンツの再生をする。そして、外部再生装置２００のコンテンツの再生を途中で止めてから、自宅に戻ったとする。この場合、外部再生装置２００と放送受信装置１００とを接続し、外部再生装置２００から放送受信装置１００にレジューム情報を転送すれば、ユーザは外部再生装置２００で再生を中断した位置から、再生を開始できる。
【００２４】
本発明の第１の実施形態の映像記録再生システムでは、外部再生装置２００から放送受信装置１００へのレジューム情報の転送を、レジューム情報の返却として管理する。ユーザが外部再生装置２００のコンテンツを放送受信装置１００側で再生する場合、レジューム情報が返却されていない場合には、警告表示を行う。これにより、ユーザは、レジューム再生を行えるかどうかを確認できる。レジューム機能の詳細については、後に詳細に説明する。
【００２５】
本発明の実施形態の映像記録再生システムにおける放送受信装置１００について説明する。図２は、放送受信装置１００の構成を示す。放送受信装置１００は、放送受信部１０１と、表示制御部１０２と、放送コンテンツ蓄積部１０３と、放送コンテンツ再生制御部１０４とを備える。放送受信装置１００は、またコンテンツ出力制御部１０５と、コンテンツ管理情報受信制御部１０６と、放送コンテンツ管理部１０７と、Ｉ／Ｆ部１０８と、通知制御部１０９とから構成されている。
【００２６】
放送受信部１０１は、アンテナ１１１で受信した放送波から受信チャンネルに応じて所望の搬送波を選択し、復調して、ＭＰＥＧ（Ｍｏｖｉｎｇ  Ｐｉｃｔｕｒｅ  Ｅｘｐｅｒｔｓ  Ｇｒｏｕｐ）形式のトランスポートストリームを生成する。放送受信部１０１は、生成されたトランスポートストリームから、受信チャンネルに応じて所望の映像・音声・データの信号を分離し、分離された映像データから表示データをデコードする。受信チャンネルの設定は、リモコン１１２からＩ／Ｆ部１０８を介して送られてくる選局信号により行われる。放送受信部１０１により生成された表示データは、表示制御部１０２に出力される。
【００２７】
放送受信部１０１は、録画を行う場合には、トランスポートストリームの中から、録画したいチャンネルに関連するトランスポートストリームを分離して、パーシャルＴＳ（Ｐａｒｔｉａｌ  Ｔｒａｎｓｐｏｒｔ  Ｓｔｒｅａｍ）を生成する。このパーシャルＴＳは、放送コンテンツ蓄積部１０３に出力される。放送コンテンツ蓄積部１０３は、録画時に、放送受信部１０１で受信された放送のコンテンツデータを、パーシャルＴＳの形式で記録する。また、再生時には、放送コンテンツ蓄積部１０３に蓄積されているパーシャルＴＳの形式のコンテンツデータが再生される。コンテンツの再生位置は、放送コンテンツ管理部１０７により管理されるコンテンツ管理情報を参照して決定される。放送コンテンツ再生制御部１０４は、再生時に放送コンテンツ蓄積部１０３から取得したパーシャルＴＳ形式のコンテンツデータから映像・音声・データの信号を分離・デコードして表示データを生成し、表示制御部１０２に出力する。
【００２８】
表示制御部１０２は、放送受信部１０１からの表示データと、放送コンテンツ再生制御部１０４からの表示データとを選択して、モニタ１１３に出力する。コンテンツ出力制御部１０５は、放送コンテンツ蓄積部１０３に保存されているコンテンツデータの出力制御を行う。コンテンツ管理情報受信制御部１０６は、外部再生装置２００からのコンテンツ管理情報を受信する。なお、このコンテンツ管理情報には、外部再生装置２００から送られてくるレジューム情報が含まれる。放送受信装置１００と外部再生装置２００との接続は、外部機器接続部１１０を介して行われる。放送コンテンツ管理部１０７は、放送コンテンツ管理テーブル３００（図３参照）を有し、この放送コンテンツ管理テーブル３００用いて、コンテンツの管理を行う。
【００２９】
通知制御部１０９は、放送コンテンツ再生制御部１０４で再生されるコンテンツの状態を放送コンテンツ管理部１０７から取得し、このコンテンツの状態によって表示する警告や通知を決定し、表示データを生成する。後に説明するように、本発明の第１の実施形態では、外部再生装置２００からのレジューム情報が返却されない場合には、通知制御部１０９により警告表示を行う。ユーザは、警告表示によって、外部再生装置２００のレジューム情報を用いたレジューム再生が行えないことを知ることができる。
【００３０】
図３は、放送コンテンツ管理部１０７で保持される放送コンテンツ管理テーブル３００を示すものである。放送コンテンツ管理テーブル３００では、以下の情報が管理される。コンテンツ識別情報３０１は、１つのコンテンツに対して１つ割り当てられるユニークな識別情報であり、放送受信装置１００と外部再生装置２００において共通で利用可能な識別情報である。継続時間情報３０２は、コンテンツ識別情報３０１が指し示すコンテンツの全再生時間を示す。再生機器情報３０３は、コンテンツ識別情報３０１が指し示すコンテンツを保有している機器を識別する情報を示す。
【００３１】
停止位置情報３０４は、コンテンツ識別情報３０１が指し示すコンテンツが再生された再生機器情報３０３における、このコンテンツのレジューム情報（再生が中断された位置を示す時間情報）である。なお、再生機器情報３０３からこのコンテンツの再生が中断された位置が取得されていない場合は、停止位置情報３０４を「不明」とする。返却内容情報３０５は、外部再生装置２００にコピーされたコンテンツに関する内容のうち放送受信装置１００に返却された内容を示す。放送受信装置１００から外部再生装置２００にコピーされたコンテンツが削除されている場合は、返却内容情報３０５を「コンテンツ」とする。外部再生装置２００で再生されたコンテンツのレジューム位置が取得されている場合は、返却内容情報３０５を「レジューム」とする。なお、返却内容情報３０５の設定処理の詳細については、後に説明する。
【００３２】
次に、本発明の実施形態の映像記録再生システムにおける外部再生装置２００について説明する。図４は、本発明の第１の実施形態の映像記録再生システムにおける外部再生装置２００の構成を示すものである。図４に示すように、外部再生装置２００は、コンテンツ取得制御部２０１と、外部コンテンツ蓄積部２０２と、外部コンテンツ管理部２０３と、外部コンテンツ再生制御部２０４とから構成されている。外部再生装置２００は、またＩ／Ｆ部２０５と、コンテンツ管理情報削除制御部２０６と、コンテンツ管理情報送信制御部２０７とから構成される。
【００３３】
コンテンツ取得制御部２０１は、放送受信装置１００からのコンテンツデータを取得し、コンテンツデータを外部コンテンツ蓄積部２０２に出力する。外部コンテンツ蓄積部２０２は、コンテンツ取得制御部２０１を介して取得したコンテンツデータを蓄積する。外部コンテンツ管理部２０３は、外部コンテンツ管理テーブル４００（図５参照）を有し、この外部コンテンツ管理テーブル４００用いて、外部コンテンツ蓄積部２０２に蓄積されたコンテンツの管理を行う。
【００３４】
外部コンテンツ再生制御部２０４は、外部コンテンツ蓄積部２０２から取得したコンテンツデータから表示データを生成し、モニタ２１５に出力する。モニタ２１５は、この表示データを表示する。Ｉ／Ｆ部２０５は、リモコンや操作ボタン等のマンマシンインタフェース２１７から受信した要求に基づき、外部コンテンツ再生制御部２０４、コンテンツ管理情報削除制御部２０６に対して指示情報を出力する。コンテンツ管理情報削除制御部２０６は、Ｉ／Ｆ部２０５からの指示情報に基づき、外部コンテンツ蓄積部２０２に蓄積されているコンテンツデータや、外部コンテンツ管理部２０３で管理されているコンテンツ管理情報の削除を指示する。コンテンツ管理情報送信制御部２０７は、外部コンテンツ管理部２０３から取得したコンテンツ管理情報を、放送受信装置１００に送信する。このコンテンツ管理情報には、後に説明するように、レジューム情報が含まれている。放送受信装置１００と外部再生装置２００との間の接続は、外部接続部２１０を介して行われる。
【００３５】
図５は、外部コンテンツ管理部２０３で保持される外部コンテンツ管理テーブル４００を示す。コンテンツ識別情報４０１は、外部再生装置２００放送受信装置１００から取得したコンテンツに対して割り当てられているユニークな識別情報である。継続時間情報４０２は、コンテンツ識別情報４０１が指し示すコンテンツの全再生時間を示す。コピー元機器情報４０３は、コンテンツ識別情報４０１が指し示すコンテンツのコピー元機器を識別する情報を示す。
【００３６】
停止位置情報４０４は、外部再生装置２００において再生されたコンテンツのレジューム情報（再生が中断された位置を示す時間情報）である。返却内容情報４０５は、外部再生装置２００から放送受信装置１００に出力された内容や、外部再生装置２００において削除された内容を示す。放送受信装置１００から外部再生装置２００にコピーされたコンテンツが削除されている場合は、返却内容情報４０５を「コンテンツ」とする。外部再生装置２００から放送受信装置１００にレジューム情報が送信されている場合は、返却内容情報３０５を「レジューム」とする。
【００３７】
次に、放送受信装置１００の放送コンテンツ蓄積部１０３に蓄積されていたコンテンツを、外部再生装置２００にコピーする場合の処理について、図２及び図４を参照しながら説明する。放送受信装置１００の放送コンテンツ蓄積部１０３に蓄積されていたコンテンツデータを外部再生装置２００にコピーするときには、放送受信装置１００と外部再生装置２００とが任意の接続手段、例えばＵＳＢなどの伝送規格に基づく伝送手段で接続される。
【００３８】
コピーを行うときには、リモコン１１２からＩ／Ｆ部１０８を介して送られてくる指示情報に基づいて、放送コンテンツ蓄積部１０３に蓄積されたパーシャルＴＳ形式のコンテンツデータが読み出される。このコンテンツデータがコンテンツ出力制御部１０５に送られる。コンテンツ出力制御部１０５は、放送コンテンツ蓄積部１０３に蓄積されたパーシャルＴＳ形式のコンテンツデータを、外部再生装置２００で再生可能なデータに変換し、外部機器接続部１１０を介して、外部再生装置２００側に出力する。
【００３９】
外部再生装置２００は、外部接続部２１０を介して、放送受信装置１００側から転送されてきたコンテンツデータを受信する。このコンテンツデータは、コンテンツ取得制御部２０１で取得され、外部コンテンツ蓄積部２０２に送られ、外部コンテンツ蓄積部２０２に記録される。このとき、コンテンツ出力制御部１０５は、転送したコンテンツのコンテンツ識別情報と、コンテンツの継続時間情報と、コピー先の機器を示す再生機器情報とを、コンテンツ管理情報として、放送コンテンツ管理部１０７に送る。放送コンテンツ管理部１０７は、このコンテンツ識別情報に基づいて、図３に示す放送コンテンツ管理テーブル３００のコンテンツ識別情報３０１と、継続時間情報３０２と、再生機器情報３０３とを設定する。
【００４０】
コンテンツ出力制御部１０５は、転送したコンテンツのコンテンツ識別情報と、コンテンツの継続時間情報と、コピー元の機器を示すコピー元機器情報とを、コンテンツ管理情報として、外部再生装置２００に向けて送信する。外部再生装置２００は、このコンテンツ管理情報を受信し、このコンテンツ管理情報を外部コンテンツ管理部２０３に送る。外部コンテンツ管理部２０３は、このコンテンツ識別情報に基づいて、図５に示す外部コンテンツ管理テーブル４００のコンテンツ識別情報４０１と、継続時間情報４０２と、コピー元機器情報４０３とを設定する。
【００４１】
上述のように、放送受信装置１００の放送コンテンツ蓄積部１０３に蓄積されていたコンテンツを外部再生装置２００側にコピーすると、このコンテンツは、外部再生装置２００で再生することが可能である。
【００４２】
外部再生装置２００でコンテンツの再生を行うときには、マンマシンインタフェース２１７からの指令に基づいて、外部コンテンツ蓄積部２０２がコンテンツデータを読み出す。このコンテンツデータは、外部コンテンツ再生制御部２０４に送られる。外部コンテンツ再生制御部２０４は、コンテンツデータに基づき表示データを生成する。この表示データがモニタ２１５に送られ、モニタ２１５はコンテンツを表示する。
【００４３】
ここで、マンマシンインタフェース２１７からの指令に基づいて、コンテンツの再生を停止させると、このときの停止位置の時間情報が、レジューム情報として外部コンテンツ管理部２０３に取り込まれる。外部コンテンツ管理部２０３は、このレジューム情報に基づいて、図５に示す外部コンテンツ管理テーブル４００の停止位置情報４０４を設定する。  レジューム情報は、放送受信装置１００と外部再生装置２００とを接続したときに、コンテンツ管理情報として、外部コンテンツ管理部２０３が、コンテンツ管理情報送信制御部２０７を介して、放送受信装置１００側に送信する。
【００４４】
放送受信装置１００のコンテンツ管理情報受信制御部１０６は、外部再生装置２００側から送信されてきたレジューム情報を受信すると、このレジューム情報を放送コンテンツ管理部１０７に送る。放送コンテンツ管理部１０７は、このレジューム情報に基づいて、図３に示す放送コンテンツ管理テーブル３００の停止位置情報３０４を設定する。また、放送コンテンツ管理部１０７は、レジューム情報を受信すると、返却内容情報３０５に「レジューム」を設定する。
【００４５】
また、前述したように、本発明の第１の実施形態の映像記録再生システムでは、ダビング１０により、コピーが９回、ムーブが１回に制限されている。本発明の第１の実施形態は、外部再生装置２００にコンテンツを転送しても、放送受信装置１００の放送コンテンツ蓄積部１０３のコンテンツを残す。外部再生装置２００が所定のコンテンツが削除されたという通知を受け取ると、放送受信装置１００は、コンテンツが返却されたと判断して、コピー回数を戻す。
【００４６】
図６は、放送受信装置１００と外部再生装置２００とを接続し、外部再生装置２００から放送受信装置１００にレジューム情報を転送する場合の放送受信装置１００側のコンテンツ管理情報受信制御部１０６での処理を示すフローチャートである。図６において、ステップＳ１０１では、コンテンツ管理情報受信制御部１０６は放送受信装置１００にレジューム情報取得対象である外部再生装置２００（以下、レジューム情報取得対象機器と記す）が接続されたかを検出する。ステップＳ１０２では、コンテンツ管理情報受信制御部１０６はステップＳ１０１によってレジューム情報取得対象機器が正常に接続されたか否かを確認する。放送受信装置１００とレジューム情報取得対象機器との接続は、有線ないし無線のデータ伝送路を介して行われる。
【００４７】
ステップＳ１０２においてレジューム情報取得対象機器が正常に接続されたと判定された場合は（ステップＳ１０２のＹｅｓ）、ステップＳ１０３に進む。レジューム情報取得対象機器が正常に接続されなかったと判定された場合は（ステップＳ１０２のＮＯ）、レジューム情報受信制御処理を終了する。ステップＳ１０３では、コンテンツ管理情報受信制御部１０６は、放送受信装置１００に接続されたレジューム情報取得対象機器に対してレジューム情報取得対象コンテンツのコンテンツ識別情報を送信する。
【００４８】
ステップＳ１０４では、コンテンツ管理情報受信制御部１０６は、この外部再生装置２００からのコンテンツ識別情報に対応するレジューム情報の受信を検出する。ステップＳ１０５では、コンテンツ管理情報受信制御部１０６は、ステップＳ１０４においてレジューム情報が正常に受信されたか否かによって処理を分岐する。レジューム情報が正常に受信された場合は（ステップＳ１０５のＹｅｓ）、ステップＳ１０６に進む。レジューム情報が正常に受信されなかった場合は（ステップＳ１０５のＮｏ）、レジューム情報受信制御処理を終了する。ステップＳ１０６では、放送コンテンツ管理テーブル３００で管理されるレジューム情報を、ステップＳ１０４において受信したレジューム情報に基づいて更新する。
【００４９】
図７は、外部再生装置２００から放送受信装置１００にレジューム情報を転送する場合の外部再生装置２００側のコンテンツ管理情報送信制御部２０７の処理を示すフローチャートである。図７において、ステップＳ２０１では、コンテンツ管理情報送信制御部２０７は、放送受信装置１００から送信されたレジューム情報取得対象コンテンツのコンテンツ識別情報の受信を検出する。ここで検出するコンテンツ識別情報は、前述した図６のフローチャートのステップＳ１０３での処理によって送信されたものである。ステップＳ２０２では、ステップＳ２０１においてレジューム情報取得対象コンテンツのコンテンツ識別情報が正常に受信されたか否かによって処理を分岐する。ここでは、コンテンツ識別情報が、外部コンテンツ管理部２０３で管理される外部コンテンツ管理テーブル４００のコンテンツ識別情報４０１に存在する場合に、正常に受信されたと判定する。
【００５０】
ステップＳ２０２においてレジューム情報取得対象コンテンツのコンテンツ識別情報が正常に受信されたと判定した場合は（ステップＳ２０２のＹｅｓ）、ステップＳ２０３の判定処理に進む。レジューム情報取得対象コンテンツのコンテンツ識別情報が正常に受信されなかったと判定した場合は（ステップＳ２０２のＮｏ）、ステップＳ２０５に進む。  ステップＳ２０３では、コンテンツ管理情報送信制御部２０７は、外部コンテンツ管理テーブル４００を参照して、レジューム情報取得対象コンテンツにレジューム情報が存在するか否かによって処理を分岐する。ここでは、レジューム情報取得対象コンテンツのコンテンツ識別情報に対応する外部コンテンツ管理テーブル４００の停止位置情報４０４が存在する場合に、レジューム情報が存在すると判定する。
【００５１】
ステップＳ２０３においてレジューム情報が存在すると判定した場合は（ステップＳ２０３のＹｅｓ）、ステップＳ２０４に進み、コンテンツ管理情報送信制御部２０７は、レジューム情報取得対象コンテンツのレジューム情報を放送受信装置１００に送信する。ステップＳ２０３においてレジューム情報が存在しないと判定した場合は（ステップＳ２０３のＮｏ）、ステップＳ２０５に進む。ステップＳ２０５では、コンテンツ管理情報送信制御部２０７は、放送受信装置１００に対してエラーを送信する。ステップＳ２０５において放送受信装置１００にエラーが送信されることで、図６のフローチャートのステップＳ１０５において、レジューム情報が正常に受信されなかったと判定される。ステップＳ２０５の処理を行ったら、レジューム情報送信制御処理を終了する。
【００５２】
なお、ここでは、レジューム情報の転送について説明したが、コンテンツの削除情報等、他のコンテンツ管理情報についても、同様に転送できる。また、放送受信装置１００と外部再生装置２００とを接続したとき、レジューム情報や、コンテンツの削除情報等のコンテンツ管理情報は、個々に設定して、転送できる。
【００５３】
図８は、図３における放送コンテンツ管理テーブル３００の返却内容情報３０５の設定処理の詳細を示すフローチャートである。なお、図３において、「本機」は放送受信装置１００に該当し、「携帯メディアプレーヤ（１）」「携帯メディアプレーヤ（２）」「携帯ゲーム機」「携帯電話」のうちに何れかが外部再生装置２００に該当する。図８において、ステップＳ３０１では、放送コンテンツ管理部１０７は、外部再生装置２００から放送受信装置１００に所定のコンテンツが返却されたか否かを判定する。ここでは、コンテンツ管理情報受信制御部１０６から放送コンテンツ管理部１０７に対して、外部再生装置２００において所定のコンテンツが削除されたというコンテンツ削除の通知がある場合に、コンテンツが返却されたと判定する。また、所定のコンテンツとは、コンテンツ管理情報受信制御部１０６によって指定されるコンテンツである。
【００５４】
ステップＳ３０１においてコンテンツが返却されたと判定した場合は（ステップＳ３０１のＹｅｓ）、ステップＳ３０２に進む。ステップＳ３０２では、放送コンテンツ管理部１０７は、放送コンテンツ管理テーブル３００において、所定のコンテンツに対応する返却内容情報３０５に「コンテンツ」を設定する。ステップＳ３０１においてコンテンツが返却されないと判定した場合は（ステップＳ３０１のＮｏ）、ステップＳ３０３の判定処理に進む。
【００５５】
ステップＳ３０３では、放送コンテンツ管理部１０７は、外部再生装置２００から放送受信装置１００に所定のコンテンツのレジューム情報が取得されたか否かを判定する。ここでは、コンテンツ管理情報受信制御部１０６から放送コンテンツ管理部１０７に所定のコンテンツのレジューム情報が取得された場合に、レジューム情報が取得されたと判定する。ステップＳ３０３においてレジューム情報が取得されたと判定した場合は（ステップＳ３０３のＹｅｓ）、ステップＳ３０４に進む。ステップＳ３０４では、放送コンテンツ管理部１０７は、放送コンテンツ管理テーブル３００において、所定のコンテンツに対応する返却内容情報３０５に「レジューム」を設定する。ステップＳ３０３においてレジューム情報が取得されないと判定した場合は（ステップＳ３０３のＮｏ）、返却内容設定処理を終了する。
【００５６】
前述したように、本発明の第１の実施形態の映像記録再生システムでは、外部再生装置２００から放送受信装置１００にレジューム情報が送られると、これを用いてレジューム再生を行うことができる。また、外部再生装置２００から放送受信装置１００にレジューム情報が送られると、放送コンテンツ管理部１０７の放送コンテンツ管理テーブル３００の返却内容情報３０５に「レジューム」が設定される。これにより、放送受信装置１００にレジューム情報が転送されていない場合には、警告表示を行うことができる。
【００５７】
図９は、放送受信装置１００の放送コンテンツ再生制御部１０４における再生制御処理の流れを示すフローチャートである。この再生制御処理では、上述のようにして、レジューム再生が行われ、また、放送受信装置１００にレジューム情報が転送されていない場合には、警告表示が行われる。図９において、ステップＳ４０１では、放送コンテンツ蓄積部１０３に蓄積されているコンテンツのうち、再生するコンテンツを決定する処理を行う。放送コンテンツ再生制御部１０４は、放送コンテンツ蓄積部１０３に蓄積されているコンテンツのコンテンツ管理情報を放送コンテンツ管理部１０７から取得する。放送コンテンツ再生制御部１０４は、取得したこのコンテンツ管理情報に基づき、図１０に示すようなコンテンツ選択画面５０１を生成し、表示制御部１０２に出力することで、モニタ１１３にコンテンツ選択画面が表示される。ユーザは、リモコン１１２を操作することで、Ｉ／Ｆ部１０８から放送コンテンツ再生制御部１０４に対して指示情報が出力され、再生するコンテンツを決定する。
【００５８】
ステップＳ４０２では、ステップＳ４０１で選択されたコンテンツの再生方法を決定する処理を行う。放送コンテンツ再生制御部１０４は、図１１に示すような再生方法選択画面５０２を生成し、表示制御部１０２経由でモニタ１１３に表示する。ユーザは、リモコン１１２を操作することで、Ｉ／Ｆ部１０８から放送コンテンツ再生制御部１０４に対して指示情報を出力され、この再生方法選択画面から再生方法を選択することができる。ステップＳ４０２で選択可能な再生方法は、「最初から再生」「放送受信装置１００の続きから再生」「外部再生装置２００の続きから再生」の３種類である。さらに、ユーザによって「外部の続きから再生」が選択された場合、図１２に示すような機器選択画面５０３をモニタ１１３に表示することで、レジューム位置を参照する外部再生装置２００を選択することができる。この機器選択画面は、放送コンテンツ管理部１０７が保持する放送コンテンツ管理テーブル３００に基づいて放送コンテンツ再生制御部１０４によって生成され、表示制御部１０２に出力することでモニタ１１３に表示される。
【００５９】
ステップＳ４０３では、ステップＳ４０２で決定した再生方法に基づいて処理を分岐する。再生方法がレジューム再生の場合は（ステップＳ４０３のＹｅｓ）、ステップＳ４０４に進み警告判定・表示処理を行う。ステップＳ４０４での警告表示については、後に、図１３を用いて説明する。再生方法がレジューム再生でない場合は（ステップＳ４０３のＮｏ）、ステップＳ４０６に進み、このコンテンツの再生開始位置を先頭に設定する。ステップＳ４０３では、ステップＳ４０２において選択された再生方法が「放送受信装置１００の続きから再生」と「外部再生装置２００の続きから再生」の場合に、レジューム再生であると判定する。ステップＳ４０５では、ステップＳ４０４での警告表示判定結果に基づき処理を分岐する。警告表示された場合は（ステップＳ４０５のＹｅｓ）、何も処理せずに終了する。
【００６０】
ステップＳ４０５で、警告表示されなかった場合は（ステップＳ４０５のＮｏ）、ステップＳ４０７に進み、放送コンテンツ管理部１０７で管理されるレジューム情報に基づいてステップＳ４０１で選択されたコンテンツの再生開始位置を設定する。このレジューム情報は、図３の放送コンテンツ管理テーブル３００の停止位置情報３０４に該当する。ステップＳ４０７では、ステップＳ４０２で選択された再生方法によって設定される再生開始位置を決める。「放送受信装置１００の続きから再生」が選択された場合は、図３に示した放送コンテンツ管理テーブル３００のうち、再生機器情報３０３が放送受信装置１００であるもの（図３の「本機」）に対応する停止位置情報３０４を再生開始位置として設定する。「外部再生装置２００の続きから再生」が選択された場合、図３に放送コンテンツ管理テーブル３００のうち、再生機器情報３０３が外部再生装置２００であるもの（図３の携帯メディアプレーヤ（１））の停止位置情報４０４を再生開始位置として設定する。ステップＳ４０８では、ステップＳ４０６、または、ステップＳ４０７で設定された再生開始位置からステップＳ４０１で選択されたコンテンツの再生を開始する。
【００６１】
図９に示す再生制御処理のフローチャートは一例であり、別の方法も考えられる。例えば、ステップＳ４０１でコンテンツを選択した直後に、ステップＳ４０２の再生方法選択処理を省いて、ステップＳ４０４に示す警告判定・表示処理を行っても良い。また、ステップＳ４０１にレジューム情報が存在しない場合は、ステップＳ４０２の再生方法選択処理を省いても良い。また、ステップＳ４０５で警告表示ありと判定された場合に、そのまま終了せずに、先頭から再生を開始したり、放送受信装置１００内のレジューム情報に基づいて再生を開始しても良い。
【００６２】
次に、警告表示制御処理（図９のステップＳ４０４）について、図１３のフローチャートを用いて説明する。図１３において、ステップＳ５０１では、図９のステップＳ４０２において選択された再生方法によって処理を分岐する。「外部再生装置２００の続きから再生」が選択された場合は（ステップＳ５０１のＹｅｓ）、ステップＳ５０２の判断処理に進む。「放送受信装置１００の続きから再生」が選択された場合は（ステップＳ５０１のＮｏ）、警告表示制御処理を終了する。
【００６３】
ステップＳ５０２では、図９のステップＳ４０１において選択されたコンテンツのレジューム情報取得状態によって処理を分岐する。レジューム情報取得状態では、放送コンテンツ管理部１０７で管理される放送コンテンツ管理テーブル３００のうちこのコンテンツに対応する返却内容情報３０５に「レジューム」が含まれるか否かを判断する。このコンテンツに対応する返却内容情報３０５に「レジューム」が含まれない場合は（ステップＳ５０２のＮｏ）、ステップＳ５０３に進み、警告表示を行う。このコンテンツに対応する返却内容情報３０５に「レジューム」が含まれる場合は（ステップＳ５０２のＹｅｓ）、警告表示制御処理を終了する。
【００６４】
ステップＳ５０３では、図１４に示すように、ユーザによって選択されたコンテンツが、外部再生装置２００の続きから再生できない旨の警告画面５０４を表示する。この警告画面５０４は、通知制御部１０９によって生成され、表示制御部１０２に出力し、モニタ１１３に表示される。ステップＳ５０３において表示される警告画面では、図１５に示すように、図９のステップＳ４０１によって選択されたコンテンツがコピーされた外部再生装置とそのレジューム情報取得状態を表示することも可能である。
【００６５】
以上説明したように、本発明の第１の実施形態では、コピー元機器からコピー先機器にコピーされたコンテンツについて、このコンテンツをコピー先機器で再生した続きをコピー元機器で再生できない場合にユーザに注意を促すことができる。そのため、ユーザが誤って意図しない再生位置から再生しようとする前に注意喚起を促すことができる。
【００６６】
＜第２の実施形態＞
上述の第１の実施形態では、コンテンツのコピー先機器（外部再生装置）からレジューム情報が取得されていないコンテンツを再生する場合に警告表示することについて説明した。この第２の実施形態では、コピー先機器においてコピー元機器に送信されていないレジューム情報を削除しないよう制御するものである。
【００６７】
図１６は、本発明の第２の実施形態の外部再生装置２００のコンテンツ管理情報削除制御部２０６におけるコンテンツ管理情報削除制御処理のを示すフローチャートである。図１６において、ステップＳ６０１では、Ｉ／Ｆ部２０５からコンテンツ削除要求があるか否かによって処理を分岐する。コンテンツ削除要求がある場合は（ステップＳ６０１のＹｅｓ）、ステップＳ６０２に進む。コンテンツ削除要求がない場合は（ステップＳ６０１のＮｏ）、コンテンツ管理情報削除制御処理を終了する。
【００６８】
ステップＳ６０２では、コンテンツ管理情報削除制御部２０６は、ステップＳ６０１によって削除要求があったコンテンツを外部コンテンツ蓄積部２０２から削除する。ステップＳ６０３では、ステップＳ６０２において削除されたコンテンツのレジューム情報が放送受信装置１００に送信済み否かによって処理を分岐する。この場合、図５に示した外部コンテンツ管理テーブル４００において、返却内容に「レジューム」が含まれるコンテンツの場合、放送受信装置１００にレジューム情報が送信済みであると判定する。レジューム情報が送信済みである場合は（ステップＳ６０３のＹｅｓ）、ステップＳ６０４に進む。レジューム情報が送信済みでない場合は（ステップＳ６０３のＮｏ）、コンテンツ管理情報削除制御処理を終了する。ステップＳ６０４では、コンテンツ管理情報削除制御部２０６は、外部コンテンツ管理部２０３で管理されるコンテンツ管理情報から、ステップＳ６０２において削除されたコンテンツのコンテンツ管理情報を削除する。
【００６９】
以上説明したように、本発明の第２の実施形態では、コンテンツのコピー元機器にレジュームを送信していない場合は、コンテンツのコピー先機器からレジューム情報を削除されない。そのため、コンテンツのコピー先機器からコンテンツが削除されても、コピー元機器がコピー先機器のレジューム情報を取得することができるので、コピー先機器のレジューム情報を用いて再生できなくなることを防ぐことができる。
【００７０】
＜第３の実施形態＞
上述の第２の実施形態では、コンテンツのコピー先機器（外部再生装置）におけるコピー元機器である放送受信装置へのレジューム情報の送信状態によって、コンテンツ管理情報の削除を制御することについて説明した。この第３の実施形態では、コンテンツ管理情報の保持期限を設けて、保持期限が過ぎた場合にコンテンツ管理情報を削除するようにしている。前述までの実施形態では、外部再生装置２００の外部コンテンツ管理部２０３の外部コンテンツ管理テーブル４００として、図５に示したような構成のものが用いられている。これに対して、この実施形態では、外部再生装置２００の外部コンテンツ管理部２０３の外部コンテンツ管理テーブル５００として、図１７に示すように構成されるものが用いられる。
【００７１】
図１７において、コンテンツ識別情報４０１、継続時間情報４０２，停止位置情報４０４、返却内容情報４０５については、図５に示した外部コンテンツ管理テーブル４００と同様であり、その説明を省略する。この実施形態では、さらに、情報保持期限情報４０６が設けられる。情報保持期限情報４０６は、コンテンツ管理情報の保持期限を示したものである。コンテンツ管理情報の保持期限を経過した場合は、コンテンツ管理情報を削除する。
【００７２】
図１８は、本発明の第３の実施形態におけるコンテンツ管理情報削除制御部２０６におけるコンテンツ削除制御処理の流れを示すフローチャートである。図１８において、ステップＳ７０１では、Ｉ／Ｆ部２０５からコンテンツ削除要求があるか否かによって処理を分岐する。コンテンツ削除要求がある場合は（ステップＳ７０１のＹｅｓ）、ステップＳ７０２に進む。コンテンツ削除要求がない場合は（ステップＳ７０１のＮｏ）、ステップＳ７０６に進む。ステップＳ７０２では、コンテンツ管理情報削除制御部２０６は、ステップＳ７０１によって削除要求があったコンテンツを外部コンテンツ蓄積部２０２から削除する。
【００７３】
ステップＳ７０３では、ステップＳ７０２において削除されたコンテンツのレジューム情報が放送受信装置１００に送信済み否かによって処理を分岐する。この場合、図１７に示す外部コンテンツ管理テーブル５００において、返却内容に「レジューム」が含まれるコンテンツの場合、放送受信装置１００にレジューム情報が送信済みであると判定する。レジューム情報が送信済みである場合は、ステップＳ７０４に進む。レジューム情報が送信済みでない場合は、コンテンツ管理情報削除制御処理を終了する。
【００７４】
ステップＳ７０３において外部再生装置２００から放送受信装置１００へレジューム情報が送信済みであると判定された場合には（ステップＳ７０３のＹｅｓ）、ステップＳ７０４に進む。ステップＳ７０４で、コンテンツ管理情報削除制御部２０６は、外部コンテンツ管理部２０３で管理されるコンテンツ管理情報から、ステップＳ７０２において削除されたコンテンツのコンテンツ管理情報を削除する。
【００７５】
ステップＳ７０３において外部再生装置２００から放送受信装置１００へレジューム情報が送信済みでないと判定された場合には（ステップＳ７０３のＮｏ）、ステップＳ７０５に進む。ステップＳ７０５で、コンテンツ管理情報削除制御部２０６は、現在日時（ステップＳ７０２においてコンテンツを削除した日時）に予め定めた所定の時間を加算した日時情報を生成する。コンテンツ管理情報削除制御部２０６は、生成された日時情報を、外部コンテンツ管理テーブル５００において、ステップＳ７０２で削除したコンテンツのコンテンツ識別情報４０１に対応する情報保持期限情報４０６に設定する。ステップＳ７０６では、ステップＳ７０５で生成されたコンテンツ管理情報の保持期限を過ぎたコンテンツがあるか否かによって処理を分岐する。ここでは、外部コンテンツ管理テーブル５００の情報保持期限が現在日時を超えている場合に、コンテンツ管理情報の保持期限が過ぎたと判定する。
【００７６】
ステップＳ７０６においてコンテンツ管理情報の保持期限が過ぎたと判定した場合は（ステップＳ７０６のＹｅｓ）、ステップＳ７０４に進み、保持期限が過ぎたコンテンツ管理情報を削除する。ステップＳ７０６においてコンテンツ管理情報の保持期限が過ぎていないと判定した場合は（ステップＳ７０６のＮｏ）、コンテンツ削除制御処理を終了する。なお、上述の処理において、ステップＳ７０５で現在日時に加算される所定の時間は予め定めたものとしたが、ユーザによって設定されたものでも良い。
【００７７】
以上説明したように、本発明の第３の実施形態では、コンテンツ管理情報の保持期限を設けることで、コンテンツ管理情報が無尽蔵に増えることを制限することができるため、コンテンツのコピー先機器の記憶容量を圧迫することを防ぐことができる。
【００７８】
＜第４の実施形態＞
上述の第１の実施形態では、コンテンツのコピー先機器（外部再生装置）からレジューム情報が取得されていないコンテンツを再生する場合に警告表示することについて説明した。第２の実施形態及び第３の実施形態では、コンテンツ管理情報の削除を制御することについて説明した。この第４の実施形態では、コピー元機器（放送受信装置１００）がコピー先機器（外部再生装置２００）の接続待ちをすることで、コピー先機器でのレジューム情報に基づいたレジューム再生を後でも行えるようにしている。
【００７９】
この実施形態では、放送受信装置１００の放送コンテンツ管理部１０７の放送コンテンツ管理テーブル３００として、図１９に示すような構成のものが用いられている。図１９において、コンテンツ識別情報３０１、継続時間情報３０２、再生機器情報３０３、停止位置情報３０４、返却内容情報３０５については、図３に示した放送コンテンツ管理テーブル３００と同様であり、その説明を省略する。この実施形態では、さらに、レジューム取得状態情報３０６が設けられる。
【００８０】
レジューム取得状態情報３０６では、外部再生装置２００にコピーされたコンテンツについて、外部再生装置２００から放送受信装置１００へのレジューム情報取得状態について示したものである。「取得済み」は、放送受信装置１００にレジューム情報が取得されただけの状態を示す。「再生待ち」は放送受信装置１００にレジューム情報が取得されており、且つ、取得したレジューム情報に基づき放送受信装置１００において再生待ちの状態であることを示す。「未取得」は、外部再生装置２００から放送受信装置１００にレジューム情報が未取得であるだけの状態を示す。「取得待ち」は、外部再生装置２００から放送受信装置１００にレジューム情報が未取得であり、且つ、取得されるレジューム情報に基づき放送受信装置１００で再生待ちの状態であることを示す。
【００８１】
図２０は、本発明の第４の実施形態におけるレジューム再生予約設定処理を示すものである。図２０において、ステップＳ８０１では、放送コンテンツ再生制御部１０４に対するＩ／Ｆ部１０８からコンテンツや再生方法の決定に関する指示情報の入力状態によって処理を分岐する。指示情報が入力されない、即ち、ユーザ操作がない場合は（ステップＳ８０１のＮｏ）、ステップＳ８１２に進む。指示情報が入力された場合には（ステップＳ８０１のＹｅｓ）、ステップＳ８０２に進む。
【００８２】
ステップＳ８０２では、放送コンテンツ蓄積部１０３に蓄積されているコンテンツのうち、再生するコンテンツを決定する処理を行う。ステップＳ８０３では、ステップＳ８０２で選択されたコンテンツの再生方法を決定する処理を行う。ステップＳ８０３で選択可能な再生方法は、「最初から再生」「放送受信装置１００の続きから再生」「外部再生装置２００の続きから再生」の３種類である。ステップＳ８０４では、ステップＳ８０３で決定した再生方法に基づいて処理を分岐する。この再生方法がレジューム再生ではない場合は（ステップＳ８０４のＮｏ）、ステップＳ８０６に進む。この再生方法がレジューム再生の場合は（ステップＳ８０４のＹｅｓ）、ステップＳ８０５に進み警告判定・表示処理を行い、ステップＳ８０７に進む。
【００８３】
ステップＳ８０７で外部再生装置２００からレジューム情報が取得されていない旨の警告表示がされたか否かを判定する。レジューム情報が取得されていない旨の警告表示がされたと判定した場合（ステップＳ８０７のＹｅｓ）、ステップＳ８０８の判断処理に進み、レジューム再生予約の選択処理に進む。警告表示がないと判定した場合には（ステップＳ８０７のＮｏ）、ステップＳ８１０に進む。ステップＳ８０８では、図２１に示すようなレジューム再生予約設定選択画面５１１を表示することで、ユーザにレジューム再生予約を設定するか否かを選択させる。レジューム再生予約とは、外部再生装置２００からのレジューム情報の取得された時点でコンテンツをレジューム再生するために、外部再生装置２００の接続を待つこと示す。このレジューム再生予約設定選択画面５１１は、放送コンテンツ再生制御部１０４によって表示データが生成され、表示制御部１０２に出力することで、モニタ１１３に表示される。また、Ｉ／Ｆ部１０８からの指示情報に基づき、レジューム再生予約を設定するか判断する。
【００８４】
レジューム再生予約設定選択画面５１１において、「機器接続後に再生」が選択された場合は、レジューム再生予約を設定すると判定する。このレジューム再生予約設定選択画面５１１において、「キャンセル」が選択された場合は、レジューム再生予約を設定しないと判定する。ステップＳ８０８においてレジューム再生予約を設定すると判定した場合は（ステップＳ８０８のＹｅｓ）、ステップＳ８０９に進み、コンテンツをコピーした外部再生装置２００をレジューム情報取得待ちに設定する。具体的には、放送コンテンツ管理部１０７で管理される放送コンテンツ管理テーブル６００のうち、コンテンツ識別情報３０１、及び、再生機器情報３０３に対応するレジューム取得状態情報３０６を「取得待ち」に設定する。
【００８５】
ステップＳ８０８においてレジューム再生予約を設定しないと判定した場合は（ステップＳ８０８のＮｏ）、レジューム再生予約設定処理を終了する。ステップＳ８０７で外部再生装置２００からレジューム情報が取得されていない旨の警告表示がないと判定した場合には（ステップＳ８０７のＹｅｓ）、ステップＳ８１０に進む。ステップＳ８１０では、選択された再生方法によって設定される再生開始位置を決める。ステップＳ８１１では、ステップＳ８０６、または、ステップＳ８１０で設定された再生開始位置からステップＳ８０２で選択されたコンテンツの再生を開始する。また、ステップＳ８０１でユーザ操作が行われないと判定された場合には、ステップＳ８１２に進み、ステップＳ８１２では、レジューム予約再生待ちのコンテンツの有無によって処理を分岐する。
【００８６】
レジューム予約再生待ちのコンテンツの有無は、放送コンテンツ管理部１０７で管理される放送コンテンツ管理テーブル６００を参照して判断する。放送コンテンツ管理テーブル６００のうち、レジューム取得状態情報３０６が「再生待ち」であるコンテンツが存在する場合は、レジューム予約再生待ちであると判定する。レジューム取得状態情報３０６が「再生待ち」であるコンテンツが存在しない場合は、レジューム予約再生待ちでないと判定する。ステップＳ８１２においてレジューム予約再生待ちであると判定した場合は（ステップＳ８１２のＹｅｓ）、ステップＳ８１３の判断処理に進む。レジューム予約再生待ちでないと判定した場合は（ステップＳ８１２のＮｏ）、レジューム予約再生実行処理を終了する。
【００８７】
ステップＳ８１３では、図２２に示すようなレジューム予約再生実行選択画面５１２を表示することで、ユーザにレジューム予約再生を開始するか否かを選択させる。このレジューム予約再生実行選択画面５１２は、放送コンテンツ再生制御部１０４によって表示データが生成され、表示制御部１０２に出力することで、モニタ１１３に表示される。また、Ｉ／Ｆ部１０８からの指示情報に基づき、レジューム予約再生を実行するか判断する。レジューム予約再生実行選択画面５１２において、「はい」が選択された場合は、レジューム予約再生を実行すると判定する。該レジューム予約再生実行選択画面において、「いいえ」が選択された場合は、レジューム予約再生を実行しないと判定する。
【００８８】
ステップＳ８１３においてレジューム予約再生を実行すると判定した場合は（ステップＳ８１３のＹｅｓ）、ステップＳ８１４に進み、取得されたレジューム情報に基づき、再生開始位置を決定する。再生開始位置が決定されたら、ステップＳ８１１に進み、決定した再生開始位置からレジューム予約再生待ちのコンテンツの再生を開始する。ステップＳ８１３においてレジューム予約再生を実行しないと判定した場合は（ステップＳ８１３のＮｏ）、レジューム予約再生実行処理を終了する。
【００８９】
図２３は、本発明の第４の実施形態において、外部再生装置２００から放送受信装置１００にレジューム情報を転送する場合の放送受信装置１００側のコンテンツ管理情報受信制御部１０６における処理を示すフローチャートである。図２３において、ステップＳ９０１では、コンテンツ管理情報受信制御部１０６は放送受信装置１００にレジューム情報取得対象である外部再生装置２００（以下、レジューム情報取得対象機器と記す）が接続されたかを検出する。
【００９０】
ステップＳ９０２では、コンテンツ管理情報受信制御部１０６はステップＳ９０１によってレジューム情報取得対象機器が正常に接続されたか否かを確認する。放送受信装置１００と外部のレジューム情報取得対象機器との接続は、有線ないし無線のデータ伝送路を介して行われる。ステップＳ９０２で機器が正常に接続されたと判定するには、放送受信装置１００に放送コンテンツ管理テーブル６００の再生機器情報３０３に対応するレジューム情報取得対象機器が接続されている必要がある。さらに、再生機器情報３０３に対応する返却内容情報３０５に「コンテンツ」ないし「レジューム」の少なくともどちらか一方が存在しない、即ち、返却されていない内容が存在する必要がある。また、特定の外部再生装置の接続を待っている場合は、所定の時間内に放送受信装置１００に接続されなかった場合に正常に接続されなかったと判定することも可能である。
【００９１】
ステップＳ９０２においてレジューム情報取得対象機器が正常に接続されたと判定された場合は（ステップＳ９０２のＹｅｓ）、ステップＳ９０３に進む。レジューム情報取得対象機器が正常に接続されなかったと判定された場合は（ステップＳ９０２のＮｏ）、レジューム情報受信制御処理を終了する。ステップＳ９０３では、コンテンツ管理情報受信制御部１０６は、放送受信装置１００に接続されたレジューム情報取得対象機器に対してレジューム情報取得対象コンテンツのコンテンツ識別情報を送信する。レジューム情報取得対象コンテンツは、放送コンテンツ管理テーブル６００の返却内容情報３０５に、「コンテンツ」ないし「レジューム」の少なくともどちらか一方が存在しないコンテンツを示す。
【００９２】
ステップＳ９０４では、コンテンツ管理情報受信制御部１０６は、外部再生装置２００からのこのコンテンツ識別情報に対応するレジューム情報の受信を検出する。ステップＳ９０５では、コンテンツ管理情報受信制御部１０６は、ステップＳ９０４においてレジューム情報が正常に受信されたか否かによって処理を分岐する。レジューム情報が正常に受信された場合は（ステップＳ９０５のＹｅｓ）、ステップＳ９０６に進む。レジューム情報が正常に受信されなかった場合は（ステップＳ９０５のＮｏ）、レジューム情報受信制御処理を終了する。
【００９３】
ステップＳ９０６では、放送コンテンツ管理テーブル６００で管理されるレジューム情報を、ステップＳ９０４において受信したレジューム情報に基づいて更新する。例えば図１９の場合、「携帯ゲーム機（再生機器情報３０３）」から取得した「番組Ａ（コンテンツ識別情報３０１）」のレジューム情報（停止位置）を停止位置情報３０４に上書きする。このレジューム情報が１２分３４秒である場合は、図１９の停止位置情報３０４は「００：１２：３４」と書き換えられる。
【００９４】
ステップＳ９０７、ステップＳ９０９では、レジューム情報取得対象機器からのレジューム情報取得対象コンテンツのレジューム情報の取得状態によって処理を分岐する。ここでは、放送コンテンツ管理テーブル６００において、レジューム情報取得対象コンテンツ（コンテンツ識別情報３０１）とレジューム情報取得対象機器（再生機器情報３０３）に対応するレジューム取得状態情報３０６によって判定する。ステップＳ９０７においてレジューム取得状態情報３０６が「取得待ち」であると判定した場合は（ステップＳ９０７のＹｅｓ）、ステップＳ９０８に進む。レジューム取得状態情報３０６が「取得待ち」でない場合は（ステップＳ９０７のＮｏ）、ステップＳ９０９の判定処理に進む。
【００９５】
ステップＳ９０８では、コンテンツ管理情報受信制御部１０６は、放送コンテンツ管理部１０７に対して放送コンテンツ管理テーブル６００のレジューム取得状態情報３０６を「再生待ち」にするよう指示する。ステップＳ９０９においてレジューム取得状態情報３０６が「未取得」であると判定した場合は（ステップＳ９０９のＹｅｓ）、ステップＳ４１０に進む。レジューム取得状態情報３０６が「未取得」でない場合は（ステップＳ９０９のＮｏ）、レジューム情報受信制御処理を終了する。ステップＳ９１０では、コンテンツ管理情報受信制御部１０６は、放送コンテンツ管理部１０７に対して放送コンテンツ管理テーブル６００のレジューム取得状態情報３０６を「取得済み」にするよう指示する。
【００９６】
図２４は、本発明の第４の実施形態において、外部再生装置２００から放送受信装置１００にレジューム情報を転送する場合のコンテンツ管理情報送信制御部２０７側の処理を示すフローチャートである。図２４において、ステップＳ１００１では、コンテンツ管理情報送信制御部２０７は、放送受信装置１００から送信されたレジューム情報取得対象コンテンツのコンテンツ識別情報の受信を検出する。ここで検出するコンテンツ識別情報は、前述した図２３のフローチャートのステップＳ９０３での処理によって送信されたものである。
【００９７】
ステップＳ１００２では、ステップＳ１００１においてレジューム情報取得対象コンテンツのコンテンツ識別情報が正常に受信されたか否かによって処理を分岐する。ここでは、該コンテンツ識別情報が、外部コンテンツ管理部２０３で管理される外部コンテンツ管理テーブル４００のコンテンツ識別情報４０１に存在する場合に、正常に受信されたと判定する。ステップＳ１００２においてレジューム情報取得対象コンテンツのコンテンツ識別情報が正常に受信されたと判定した場合は（ステップＳ１００２のＹｅｓ）、ステップＳ１００３の判定処理に進む。レジューム情報取得対象コンテンツのコンテンツ識別情報が正常に受信されなかったと判定した場合は（ステップＳ１００２のＮｏ）、ステップＳ１００５に進む。
【００９８】
ステップＳ１００３では、コンテンツ管理情報送信制御部２０７は、外部コンテンツ管理テーブル４００を参照して、レジューム情報取得対象コンテンツにレジューム情報が存在するか否かによって処理を分岐する。ここでは、レジューム情報取得対象コンテンツのコンテンツ識別情報に対応する外部コンテンツ管理テーブル４００の停止位置情報４０４が存在する場合に、レジューム情報が存在すると判定する。ステップＳ１００３においてレジューム情報が存在すると判定した場合は（ステップＳ１００３のＹｅｓ）、ステップＳ１００４に進み、コンテンツ管理情報送信制御部２０７は、レジューム情報取得対象コンテンツのレジューム情報を放送受信装置１００に送信する。ステップＳ１００３においてレジューム情報が存在しないと判定した場合は（ステップＳ１００３のＮｏ）、ステップＳ１００５に進む。
【００９９】
ステップＳ１００５では、コンテンツ管理情報送信制御部２０７は、放送受信装置１００に対してエラーを送信する。ステップＳ１００５において放送受信装置１００にエラーが送信されることで、前述した図２３のフローチャートのステップＳ９０５において、レジューム情報が正常に受信されなかったと判定される。ステップＳ１００５の処理を行ったら、レジューム情報送信制御処理を終了する。ステップＳ１００６では、レジューム情報取得対象コンテンツが外部コンテンツ蓄積部２０２から削除済みか否かによって処理を分岐する。ここでは、外部コンテンツ管理テーブル４００において、レジューム情報取得対象コンテンツのコンテンツ識別情報４０１に対応する返却内容情報４０５が「コンテンツ」である場合に、コンテンツが削除済みであると判定する。
【０１００】
ステップＳ１００６においてコンテンツが削除済みであると判定した場合は（ステップＳ１００６のＹｅｓ）、ステップＳ１００７に進む。ステップＳ１００７で、外部コンテンツ管理テーブル４００からレジューム情報取得対象コンテンツのコンテンツ識別情報に対応するレジューム情報を含むコンテンツ管理情報を全て削除する。ステップＳ１００６においてコンテンツが削除済みでないと判定した場合は（ステップＳ１００６のＮｏ）、レジューム情報送信制御処理を終了する。
【０１０１】
以上説明したように、本発明の第４の実施形態では、コピー元機器においてコピー先機器のレジューム情報が取得されなかった場合、コピー先機器からレジューム情報を取得してからレジューム再生することが可能になる。そのため、ユーザは時間に左右されずに、コピー先機器のレジューム情報を用いたコンテンツの再生ができるようになる。
【０１０２】
＜第５の実施形態＞
上述の第４の実施形態では、コピー元機器（放送受信装置１００）がコピー先機器（外部再生装置２００）の接続待ちをすることで、コピー先機器でのレジューム情報に基づいたレジューム再生を後でも行えるようにすることについて説明した。この第５の実施形態では、レジューム情報を取得する機器の接続待ちをする場合に、接続待ち期限を設けるようにしている。
【０１０３】
図２５は、本発明の第５の実施形態における放送コンテンツ管理部１０７で保持する放送コンテンツ管理テーブル７００について示したものである。図２５において、コンテンツ識別情報３０１、継続時間情報３０２、停止位置情報３０４、返却内容情報３０５、レジューム取得状態情報３０６については、図１９に示した放送コンテンツ管理テーブル６００と同様であり、その説明を省略する。この実施形態では、さらに、レジューム取得期限情報３０７が設けられる。レジューム取得期限情報３０７は、レジューム情報取得対象機器の接続待ち期限を示したものである。レジューム情報取得対象機器の接続待ち期限を経過した場合は、ユーザに対して警告表示を行う。
【０１０４】
図２６は、本発明の第５の実施形態におけるレジューム再生予約設定処理を示すものである。図２６において、ステップＳ２００１では、放送コンテンツ再生制御部１０４に対するＩ／Ｆ部１０８からコンテンツや再生方法の決定に関する指示情報の入力状態によって処理を分岐する。指示情報が入力されない、即ち、ユーザ操作がない場合は（ステップＳ２００１のＮｏ）、ステップＳ１０１３に進む。指示情報が入力されたら（ステップＳ２００１のＮｏ）、ステップＳ２００２に進む。
【０１０５】
ステップＳ２００２では、放送コンテンツ蓄積部１０３に蓄積されているコンテンツのうち、再生するコンテンツを決定する処理を行う。ステップＳ２００３では、ステップＳ２００２で選択されたコンテンツの再生方法を決定する処理を行う。ステップＳ２００４では、ステップＳ２００３で決定した再生方法に基づいて処理を分岐する。この再生方法がレジューム再生の場合は、ステップＳ２００５に進み警告判定・表示処理を行う。
【０１０６】
ステップＳ２００６で外部再生装置２００からレジューム情報が取得されていない旨の警告表示があったか否かで処理を分岐する。警告表示があったと判定した場合（ステップＳ２００６のＹｅｓ）、ステップＳ２０１０の判断処理に進み、レジューム再生予約の選択処理に進む。警告表示がないと判定した場合には（ステップＳ２００６のＮｏ）、ステップＳ２００８に進む。ステップＳ２０１０では、ユーザにレジューム再生予約を設定するか否かを選択させる。ステップＳ２０１０においてレジューム再生予約を設定すると判定した場合は（ステップＳ２０１０のＹｅｓ）、ステップＳ２０１１に進み、コンテンツをコピーした外部再生装置２００をレジューム情報取得待ちに設定する。具体的には、放送コンテンツ管理部１０７で管理される放送コンテンツ管理テーブル７００のうち、コンテンツ識別情報３０１、及び、再生機器情報３０３に対応するレジューム取得状態情報３０６を「取得待ち」に設定し、ステップＳ２０１２に進む。
【０１０７】
ステップＳ２０１２では、放送コンテンツ再生制御部１０４は、現在日時（ステップＳ２０１１でレジューム情報取得待ちにした日時）に予め定めた所定の時間を加算した日時情報を生成する。放送コンテンツ再生制御部１０４は、生成された該日時情報を、放送コンテンツ管理テーブル７００において、レジューム情報取得対象機器である再生機器情報３０３に対応するレジューム取得期限情報３０７に設定する。ステップＳ２０１０においてレジューム再生予約を設定しないと判定した場合は（ステップＳ２０１０のＮｏ）、レジューム再生予約設定処理を終了する。
【０１０８】
ステップＳ２００６で外部再生装置２００からレジューム情報が取得されていない旨の警告表示がないと判定した場合には（ステップＳ２００６のＮｏ）、ステップＳ２００８に進む。ステップＳ２００８では、選択された再生方法によって設定される再生開始位置を決める。ステップＳ２００９では、ステップＳ２００７、または、ステップＳ２００８で設定された再生開始位置からステップＳ２００２で選択されたコンテンツの再生を開始する。また、ステップＳ２００１で、ユーザ操作が行われなければ、ステップＳ２０３に進み、ステップＳ２０１３では、レジューム予約再生待ちのコンテンツの有無によって処理を分岐する。
【０１０９】
レジューム予約再生待ちのコンテンツの有無は、放送コンテンツ管理部１０７で管理される管理テーブル７００を参照して判断する。管理テーブル７００のうち、レジューム取得状態情報３０６が「再生待ち」であるコンテンツが存在する場合は、レジューム予約再生待ちであると判定する。レジューム取得状態情報３０６が「再生待ち」であるコンテンツが存在しない場合は、レジューム予約再生待ちでないと判定する。ステップＳ２０１３においてレジューム予約再生待ちであると判定した場合は（ステップＳ２０１３のＹｅｓ）、ステップＳ２０１４の判断処理に進む。レジューム予約再生待ちでないと判定した場合は（ステップＳ２０１３のＮｏ）、レジューム予約再生実行処理を終了する。
【０１１０】
ステップＳ２０１４では、レジューム予約再生実行選択画面を表示することで、ユーザにレジューム予約再生を開始するか否かを選択させる。ステップＳ２０１４においてレジューム予約再生を実行すると判定した場合は（ステップＳ２０１４のＹｅｓ）、ステップＳ２０１５に進み、取得されたレジューム情報に基づき、再生開始位置を決定する。レジューム予約再生を実行すると判定した場合は（ステップＳ２０１４のＮｏ）、レジューム予約処理を終了する。なお、上述の処理では、ステップＳ２０１２で現在日時に加算される所定の時間は予め定めたものとしたが、ユーザによって設定されたものでも良い。
【０１１１】
次に、警告表示制御処理（図２６のステップＳ２００５）について、図２７のフローチャートを用いて説明する。
図２７において、ステップＳ３００１では、図２６のステップＳ２００３で選択されたコンテンツに対する警告判定要求があるか否かによって処理を分岐する。警告判定要求があると判定した場合はレジューム予約再生を実行すると判定した場合は（ステップＳ３００１のＹｅｓ）、ステップＳ３００２の処理を行う。警告判定要求がないと判定した場合は（ステップＳ３００１のＮｏ）、ステップＳ３００５の判定処理に進む。
【０１１２】
ステップＳ３００２では、選択された再生方法によって処理を分岐する。「外部再生装置２００の続きから再生」が選択された場合は（ステップＳ３００２のＹｅｓ）、ステップＳ３００３の判断処理に進む。「放送受信装置１００の続きから再生」が選択された場合は（ステップＳ３００２のＮｏ）、警告表示制御処理を終了する。
【０１１３】
ステップＳ３００３では、選択されたコンテンツのレジューム情報取得状態によって処理を分岐する。レジューム情報取得状態では、放送コンテンツ管理部１０７で管理される放送コンテンツ管理テーブル３００のうちこのコンテンツに対応する返却内容情報３０５に「レジューム」が含まれるか否かを判断する。このコンテンツに対応する返却内容情報３０５に「レジューム」が含まれない場合は（ステップＳ３００３のＮｏ）、ステップＳ３００４に進み、警告表示を行う。このコンテンツに対応する返却内容情報３０５に「レジューム」が含まれる場合は（ステップＳ３００３のＹｅｓ）、警告表示制御処理を終了する。
【０１１４】
ステップＳ３００４では、ユーザによって選択されたコンテンツが、外部再生装置２００の続きから再生できない旨の警告画面を表示する。この警告画面は、通知制御部１０９によって生成され、表示制御部１０２に出力し、モニタ１１３に表示される。ステップＳ３００５では、管理テーブル７００を参照して、レジューム情報取得期限が切れた外部再生装置２００が存在するか否かによって処理を分岐する。ここでは、管理テーブル７００のレジューム取得期限情報３０７が現在日時を超えた場合に、レジューム情報取得期限が切れたと判定する。
【０１１５】
ステップＳ３００５においてレジューム情報取得期限が切れた外部再生装置２００があると判定した場合は（ステップＳ３００５のＹｅｓ）、ステップＳ３００６の処理に進む。レジューム情報取得期限が切れた外部再生装置２００がないと判定した場合は（ステップＳ３００５のＮｏ）、警告表示制御処理を終了する。ステップＳ３００６では、通知制御部１０９は、図２８に示すような警告画面５２１を生成し、表示制御部１０２に出力して、モニタ１１３に表示する。
【０１１６】
ステップＳ３００７では、ユーザからレジューム情報取得待ちの継続要求があるか否かによって処理を分岐する。ここでは、リモコン１１２からＩ／Ｆ部１０８を経由して通知制御部１０９に入力された指示情報に基づき、警告画面で「はい」が選択された場合に、レジューム情報取得待ちの継続要求があると判定する。ステップＳ３００７においてレジューム情報取得待ちの継続要求があると判定した場合は（ステップＳ３００７のＹｅｓ）、ステップＳ３００８の処理に進む。レジューム情報取得待ちの継続要求がないと判定した場合は（ステップＳ３００７のＮｏ）、ステップＳ３００９の処理に進む。
【０１１７】
ステップＳ３００８では、通知制御部１０９は、管理テーブル７００のレジューム取得期限情報３０７を更新する。通知制御部１０９は、レジューム取得期限情報３０７に設定された日時情報に予め定めた所定の時間を加算することで更新を行う。ステップＳ３００９では、通知制御部１０９は、管理テーブル７００のレジューム取得期限情報３０７に設定された日時情報を削除する。ステップＳ３０１０では、通知制御部１０９は、管理テーブル７００のレジューム取得状態情報３０６を「未取得」に設定し直す。
【０１１８】
図２７のフローチャートでは、ステップＳ３００７〜ステップＳ３０１０に示すように、レジューム情報取得期限が切れたら、レジューム情報の取得待ちを継続するかをユーザに選択させようにした。また、ステップＳ３００７〜ステップＳ３０１０の処理の代わりに、図２９に示すような警告画面５２２を表示して、レジューム情報の取得期限が切れたことを通知するだけでも良い。また、図２７のフローチャートでは、ステップＳ３００７でレジューム取得期限情報３０７に設定された日時情報に加算される所定の時間は予め定めたものとしたが、ユーザによって設定されたものでも良い。
【０１１９】
以上説明したように、本発明の第５の実施形態では、レジューム情報の取得期限を設けることで、ユーザに取得されていないレジューム情報が存在することを通知することができる。また、レジューム情報の取得期限の継続をユーザに選択させることで、レジューム情報の取得期限を延長することができる。そのため、ユーザにコピー先機器のレジューム情報を用いたコンテンツ再生が可能であることを気づかせることができる。また、レジューム情報の取得期限を設けても、好きなタイミングでコピー先機器のレジューム情報を用いたコンテンツ再生をすることができる。
【０１２０】
本発明は、上述した実施形態に限定されるものではなく、この発明の要旨を逸脱しない範囲内で様々な変形や応用が可能である。
【図面の簡単な説明】
【０１２１】
【図１】本発明の第１の実施形態の映像記録再生システムの概要の説明図である。
【図２】本発明の第１の実施形態に係る放送受信装置の概略構成を示すブロック図である。
【図３】本発明の第１の実施形態に係る放送受信装置において管理される放送コンテンツ管理テーブルの説明図である。
【図４】本発明の第１の実施形態に係る外部再生装置の概略構成を示すブロック図である。
【図５】本発明の第１の実施形態に係る外部再生装置において管理される外部コンテンツ管理テーブルの説明図である。
【図６】本発明の第１の実施形態に係る放送受信装置におけるレジューム情報受信制御処理を説明するためのフローチャートである。
【図７】本発明の第１の実施形態に係る放送受信装置におけるレジューム情報送信制御処理を説明するためのフローチャートである。
【図８】本発明の第１の実施形態に係る放送受信装置における、返却内容設定処理について説明するためのフローチャートである。
【図９】本発明の第１実施形態に係る放送受信装置における、再生制御処理について説明するためのフローチャートである。
【図１０】本発明の第１の実施形態に係る放送受信装置における蓄積されたコンテンツの一覧を表示する画面の一例の説明図である。
【図１１】本発明の第１の実施形態に係る放送受信装置におけるコンテンツの再生方法を選択する画面の一例の説明図である。
【図１２】本発明の第１の実施形態に係る放送受信装置におけるレジューム再生対象機器を選択する画面の一例の説明図である。
【図１３】本発明の第１の実施形態に係る放送受信装置における、警告表示制御処理について説明するためのフローチャートである。
【図１４】本発明の第１の実施形態に係る放送受信装置におけるレジューム情報が取得されていない旨の警告を表示する画面の一例の説明図である。
【図１５】本発明の第１の実施形態に係る放送受信装置におけるレジューム情報が取得されていない旨の警告を表示する画面の一例の説明図である。
【図１６】本発明の第２の実施形態に係る外部再生装置におけるコンテンツ情報削除制御処理を説明するためのフローチャートである。
【図１７】本発明の第３の実施形態に係る外部再生装置において管理されるコンテンツ情報管理テーブルの一例の説明図である。
【図１８】本発明の第３の実施形態に係る外部再生装置におけるコンテンツ情報削除制御処理を説明するためのフローチャートである。
【図１９】本発明の第３の実施形態に係る放送受信装置において管理されるコンテンツ情報管理テーブルの一例の説明図である。
【図２０】本発明の第４の実施形態に係る放送受信装置における再生制御処理について説明するためのフローチャートである。
【図２１】本発明の第４の実施形態に係る放送受信装置における外部再生装置のレジューム情報を取得してから再生するか否かを確認する画面の一例の説明図である。
【図２２】本発明の第４の実施形態に係る放送受信装置における外部再生装置のレジューム情報が取得できたときに再生を開始するか確認する画面の一例の説明図である。
【図２３】本発明の第４の実施形態に係る放送受信装置におけるレジューム情報受信制御処理を説明するためのフローチャートである。
【図２４】本発明の第４の実施形態に係る放送受信装置における、レジューム情報送信制御処理を説明するためのフローチャートである。
【図２５】本発明の第５の実施形態に係る放送受信装置において管理されるコンテンツ情報管理テーブルの一例の説明図である。
【図２６】本発明の第５の実施形態に係る放送受信装置における再生制御処理について説明するためのフローチャートである。
【図２７】本発明の第５の実施形態に係る放送受信装置における警告表示制御処理について説明するためのフローチャートである。
【図２８】本発明の第５の実施形態に係る放送受信装置における、レジューム情報取得期限の更新するか否かを確認する画面の一例の説明図である。
【図２９】本発明の第５の実施形態に係る放送受信装置におけるレジューム情報取得期限内にレジューム情報が取得できなかった旨を通知する画面の一例の説明図である。
【図３０】従来の映像記録再生システムにおけるレジューム情報の転送の説明図である。
【図３１】従来の映像記録再生システムにおけるレジューム情報の転送の説明図である。
【符号の説明】
【０１２２】
１００  放送受信装置
１０１  放送受信部
１０２  表示制御部
１０３  放送コンテンツ蓄積部
１０４  放送コンテンツ再生制御部
１０５  コンテンツ出力制御部
１０６  コンテンツ管理情報受信制御部
１０７  放送コンテンツ管理部
１０８  Ｉ／Ｆ部
１０９  通知制御部
１１０  外部機器接続部
１１１  アンテナ
１１２  リモコン
１１３  モニタ
２００  外部再生装置
２０１  コンテンツ取得制御部
２０２  外部コンテンツ蓄積部
２０３  外部コンテンツ管理部
２０４  外部コンテンツ再生制御部
２０５  Ｉ／Ｆ部
２０６  コンテンツ管理情報削除制御部
２０７  コンテンツ管理情報送信制御部
２１０  外部接続部
２１５  モニタ
２１７  マンマシンインタフェース
【図１】
2010148050.tif 000003
【図２】
2010148050.tif 000004
【図３】
2010148050.tif 000005
【図４】
2010148050.tif 000006
【図５】
2010148050.tif 000007
【図６】
2010148050.tif 000008
【図７】
2010148050.tif 000009
【図８】
2010148050.tif 000010
【図９】
2010148050.tif 000011
【図１０】
2010148050.tif 000012
【図１１】
2010148050.tif 000013
【図１２】
2010148050.tif 000014
【図１３】
2010148050.tif 000015
【図１４】
2010148050.tif 000016
【図１５】
2010148050.tif 000017
【図１６】
2010148050.tif 000018
【図１７】
2010148050.tif 000019
【図１８】
2010148050.tif 000020
【図１９】
2010148050.tif 000021
【図２０】
2010148050.tif 000022
【図２１】
2010148050.tif 000023
【図２２】
2010148050.tif 000024
【図２３】
2010148050.tif 000025
【図２４】
2010148050.tif 000026
【図２５】
2010148050.tif 000027
【図２６】
2010148050.tif 000028
【図２７】
2010148050.tif 000029
【図２８】
2010148050.tif 000030
【図２９】
2010148050.tif 000031
【図３０】
2010148050.tif 000032
【図３１】
2010148050.tif 000033